(57)【要約】【課題】  ガス遮断装置およびセンターを含み、ガス遮断装置の設定情報とともに学習情報も移植することが可能な管理システムを提供する。【解決手段】  携帯端末３０は、旧ガス遮断装置２０Ａの個体情報（旧装置個体情報）と新ガス遮断装置２０Ｂの個体情報（新装置個体情報）とを少なくとも取得して、センター１０に送信する。センター１０は、受信した個体情報を記憶するとともに、旧ガス遮断装置２０Ａから各種情報を読み出して、旧装置個体情報に関連付けた旧装置各種情報として記憶する。旧ガス遮断装置２０Ａが新ガス遮断装置２０Ｂに交換された後には、センターは、新装置個体情報に基づいて新ガス遮断装置２０Ｂと通信し、記憶された旧装置各種情報を新ガス遮断装置２０Ｂに書き込む。【選択図】  図３
2020197313.tif 000002
【特許請求の範囲】
【請求項１】
センター、複数のガス遮断装置、および携帯端末を含み、通信回線を介して、センターと複数のガス遮断装置とが通信可能に接続される、ガス遮断装置管理システムであって、
前記センターは、
前記ガス遮断装置および前記携帯端末と通信するセンター通信部と、
各種情報を記憶するセンター記憶部と、
当該センターの動作を制御するセンター制御部と、を備え、
前記ガス遮断装置は、
ガス流量を計測する流量計測部と、
計測したガス流量を用いて配管に接続されるガス器具の使用状態を監視するガス器具監視部と、
ガス流路を遮断するガス遮断部と、
各種情報を記憶するガス遮断記憶部と、
少なくとも前記センターと通信するガス遮断通信部と、
当該ガス遮断装置の動作を制御するガス遮断制御部と、を備えるとともに、
前記ガス遮断記憶部に記憶される前記各種情報には、当該ガス遮断装置の設定情報と当該ガス遮断装置の運転に伴う学習情報とが含まれ、
前記ガス遮断制御部は、前記ガス器具監視部の監視結果に基づいて前記ガス遮断部を動作させて前記ガス流路を遮断するとともに、前記監視結果の根拠となる前記ガス器具の使用状態を、前記学習情報として前記ガス遮断記憶部に記憶し、
複数の前記ガス遮断装置のうちいずれかを交換する際には、交換対象である設置済のものを旧ガス遮断装置とし、新たに設置されるものを新ガス遮断装置としたときに、前記携帯端末は、前記旧ガス遮断装置の個体情報である旧装置個体情報と前記新ガス遮断装置の個体情報である新装置個体情報とを少なくとも取得して、前記センターに送信し、
前記センターの前記センター制御部は、受信した前記個体情報を前記センター記憶部に記憶するとともに、前記センター通信部により前記旧ガス遮断装置の前記ガス遮断記憶部から予め読み出された前記各種情報、もしくは、前記個体情報が前記センター記憶部に記憶されてから前記センター通信部により読み出された前記各種情報を、前記旧装置個体情報に関連付けた旧装置各種情報として前記センター記憶部に記憶し、
前記旧ガス遮断装置が前記新ガス遮断装置に交換された後には、前記センターの前記センター制御部は、記憶した前記新装置個体情報に基づいて前記センター通信部により前記新ガス遮断装置と通信し、前記センター記憶部に記憶された前記旧装置各種情報を前記新ガス遮断装置の前記ガス遮断記憶部に書き込む、
ガス遮断装置管理システム。
【請求項２】
前記携帯端末による前記ガス遮断装置の前記個体情報は、当該携帯端末への手入力、または、バーコード等による読み取りにより取得される、
請求項１に記載のガス遮断装置管理システム。
【請求項３】
前記ガス遮断装置は、さらに、使用中の前記ガス器具の種類を判別するガス器具判別部を備え、
前記ガス遮断制御部は、前記ガス器具判別部の判別結果である前記ガス器具の種類を、前記学習情報として前記ガス遮断記憶部に記憶し、
前記旧ガス遮断装置を前記新ガス遮断装置に交換する際には、前記センターの前記センター制御部により、前記ガス器具の種類も前記新ガス遮断装置の前記ガス遮断記憶部に書き込まれる、
請求項１または２に記載のガス遮断装置管理システム。
【発明の詳細な説明】
【技術分野】
【０００１】
本発明は、ガス遮断装置を交換する際に、旧ガス遮断装置から新ガス遮断装置に各種情報を移植設定することが可能な、ガス遮断装置管理システムに関する。
【背景技術】
【０００２】
従来、ガス遮断装置を交換する場合には、専用の設定器を用いることが一般的であった。例えば、交換される（設置済で交換対象の）ガス遮断装置を旧ガス遮断装置とし、交換すべき（新たに設置される）ガス遮断装置を新ガス遮断装置としたときに、設定器を介して旧ガス遮断装置の情報を読取り、その後、センターとの通信により新ガス遮断装置を登録していた。しかしながら、このような従来の手法では、専用の設定器を用いてセンターと回線接続したり、新旧ガス遮断装置のそれぞれに設定器を接続して設定を繰り返したりするという手間が生じていた。
【０００３】
そこで、特許文献１には、他のガス遮断装置と信号線を介して通信可能であり、設定値を読み出して移植する移植設定手段を備えているガス遮断装置が開示されている。具体的には、旧ガス遮断装置と新ガス遮断装置とを信号線により通信可能に接続し、新ガス遮断装置の移植設定手段により、旧ガス遮断装置に設定されている設定情報を読み出して、新ガス遮断装置の設定情報として新たに設定する。これにより専用の設定器を用いることなく、旧ガス遮断装置から新ガス遮断装置に設定情報を移植することができる。
【先行技術文献】
【特許文献】
【０００４】
【特許文献１】特開２００７−３３３３０５号公報
【発明の概要】
【発明が解決しようとする課題】
【０００５】
しかしながら、特許文献１に開示のガス遮断装置では、設定情報の移植は可能であるものの、設定情報以外の各種情報、特に、ガス遮断装置の設置に伴って学習した各種情報（学習情報）を移植することができない。
【０００６】
本発明はこのような課題を解決するためになされたものであって、ガス遮断装置およびセンターを含み、ガス遮断装置の設定情報とともに学習情報も移植することが可能な管理システムを提供することを目的とする。
【課題を解決するための手段】
【０００７】
本発明に係るガス遮断装置管理システムは、前記の課題を解決するために、センター、複数のガス遮断装置、および携帯端末を含み、通信回線を介して、センターと複数のガス遮断装置とが通信可能に接続される、ガス遮断装置管理システムであって、前記センターは、前記ガス遮断装置および前記携帯端末と通信するセンター通信部と、各種情報を記憶するセンター記憶部と、当該センターの動作を制御するセンター制御部と、を備え、前記ガス遮断装置は、ガス流量を計測する流量計測部と、計測したガス流量を用いて配管に接続されるガス器具の使用状態を監視するガス器具監視部と、ガス流路を遮断するガス遮断部と、各種情報を記憶するガス遮断記憶部と、少なくとも前記センターと通信するガス遮断通信部と、当該ガス遮断装置の動作を制御するガス遮断制御部と、を備えるとともに、前記ガス遮断記憶部に記憶される前記各種情報には、当該ガス遮断装置の設定情報と当該ガス遮断装置の運転に伴う学習情報とが含まれ、前記ガス遮断制御部は、前記ガス器具監視部の監視結果に基づいて前記ガス遮断部を動作させて前記ガス流路を遮断するとともに、前記監視結果の根拠となる前記ガス器具の使用状態を、前記学習情報として前記ガス遮断記憶部に記憶し、複数の前記ガス遮断装置のうちいずれかを交換する際には、交換対象である設置済のものを旧ガス遮断装置とし、新たに設置されるものを新ガス遮断装置としたときに、前記携帯端末は、前記旧ガス遮断装置の個体情報である旧装置個体情報と前記新ガス遮断装置の個体情報である新装置個体情報とを少なくとも取得して、前記センターに送信し、前記センターの前記センター制御部は、受信した前記個体情報を前記センター記憶部に記憶するとともに、前記センター通信部により前記旧ガス遮断装置の前記ガス遮断記憶部から予め読み出された前記各種情報、もしくは、前記個体情報が前記センター記憶部に記憶されてから前記センター通信部により読み出された前記各種情報を、前記旧装置個体情報に関連付けた旧装置各種情報として前記センター記憶部に記憶し、前記旧ガス遮断装置が前記新ガス遮断装置に交換された後には、前記センターの前記センター制御部は、記憶した前記新装置個体情報に基づいて前記センター通信部により前記新ガス遮断装置と通信し、前記センター記憶部に記憶された前記旧装置各種情報を前記新ガス遮断装置の前記ガス遮断記憶部に書き込む構成である。
【０００８】
前記構成によれば、携帯端末により新旧のガス遮断装置の個体情報を取得してセンターに予め送信することになる。それゆえ、ガス遮断装置の交換現場では、個体情報を取得して送信するだけでよく、各種情報の移植はセンターからの通信により実行することができる。その結果、ガス遮断装置の交換に際して、各種情報の移植に要する作業を簡素化できる。
【０００９】
さらに、移植される各種情報は設定情報だけでなく、相対的にデータ量の大きい学習情報も含まれる。通常、データ量の大きい学習情報は設定情報に比較して移植に時間を要する。前記構成によれば、交換現場では個体情報の取得および送信だけで済み、移植作業そのものはセンターから通信で実施される。そのため、ガス遮断装置を交換した後に、任意のタイミングで通信により容易に学習情報を移植することができる。
【００１０】
また、ガス消費者（ガス需用家）では、交換されたガス遮断装置は、一定期間運転して学習情報を改めて取得しなくても、交換前の学習情報に基づいて好適化された状態でガス器具を保安監視することが可能となる。
【発明の効果】
【００１１】
本発明では、以上の構成により、ガス遮断装置およびセンターを含み、ガス遮断装置の設定情報とともに学習情報も移植することが可能な管理システムを提供することができる、という効果を奏する。
【図面の簡単な説明】
【００１２】
【図１】本発明の代表的な実施の形態に係るガス遮断装置管理システムの構成例を示すブロック図である。
【図２】図１に示すガス遮断装置管理システムを構成するセンターおよびガス遮断装置の代表的な構成例を示す要部ブロック図である。
【図３】（Ａ）〜（Ｄ）は、図１に示すガス遮断装置管理システムにおけるガス遮断装置の交換に伴う各種情報の読み出しおよび書き込みのプロセスの一例をそれぞれ示す模式図である。
【発明を実施するための形態】
【００１３】
本開示に係るガス遮断装置管理システムは、センター、複数のガス遮断装置、および携帯端末を含み、通信回線を介して、センターと複数のガス遮断装置とが通信可能に接続される、ガス遮断装置管理システムであって、前記センターは、前記ガス遮断装置および前記携帯端末と通信するセンター通信部と、各種情報を記憶するセンター記憶部と、当該センターの動作を制御するセンター制御部と、を備え、前記ガス遮断装置は、ガス流量を計測する流量計測部と、計測したガス流量を用いて配管に接続されるガス器具の使用状態を監視するガス器具監視部と、ガス流路を遮断するガス遮断部と、各種情報を記憶するガス遮断記憶部と、少なくとも前記センターと通信するガス遮断通信部と、当該ガス遮断装置の動作を制御するガス遮断制御部と、を備えるとともに、前記ガス遮断記憶部に記憶される前記各種情報には、当該ガス遮断装置の設定情報と当該ガス遮断装置の運転に伴う学習情報とが含まれ、前記ガス遮断制御部は、前記ガス器具監視部の監視結果に基づいて前記ガス遮断部を動作させて前記ガス流路を遮断するとともに、前記監視結果の根拠となる前記ガス器具の使用状態を、前記学習情報として前記ガス遮断記憶部に記憶し、複数の前記ガス遮断装置のうちいずれかを交換する際には、交換対象である設置済のものを旧ガス遮断装置とし、新たに設置されるものを新ガス遮断装置としたときに、前記携帯端末は、前記旧ガス遮断装置の個体情報である旧装置個体情報と前記新ガス遮断装置の個体情報である新装置個体情報とを少なくとも取得して、前記センターに送信し、前記センターの前記センター制御部は、受信した前記個体情報を前記センター記憶部に記憶するとともに、前記センター通信部により前記旧ガス遮断装置の前記ガス遮断記憶部から予め読み出された前記各種情報、もしくは、前記個体情報が前記センター記憶部に記憶されてから前記センター通信部により読み出された前記各種情報を、前記旧装置個体情報に関連付けた旧装置各種情報として前記センター記憶部に記憶し、前記旧ガス遮断装置が前記新ガス遮断装置に交換された後には、前記センターの前記センター制御部は、記憶した前記新装置個体情報に基づいて前記センター通信部により前記新ガス遮断装置と通信し、前記センター記憶部に記憶された前記旧装置各種情報を前記新ガス遮断装置の前記ガス遮断記憶部に書き込む構成である。
【００１４】
前記構成によれば、携帯端末により新旧のガス遮断装置の個体情報を取得してセンターに予め送信することになる。それゆえ、ガス遮断装置の交換現場では、個体情報を取得して送信するだけでよく、各種情報の移植はセンターからの通信により実行することができる。その結果、ガス遮断装置の交換に際して、各種情報の移植に要する作業を簡素化できる。
【００１５】
さらに、移植される各種情報は設定情報だけでなく、相対的にデータ量の大きい学習情報も含まれる。通常、データ量の大きい学習情報は設定情報に比較して移植に時間を要する。前記構成によれば、交換現場では個体情報の取得および送信だけで済み、移植作業そのものはセンターから通信で実施される。そのため、ガス遮断装置を交換した後に、任意のタイミングで通信により容易に学習情報を移植することができる。
【００１６】
また、ガス消費者（ガス需用家）では、交換されたガス遮断装置は、一定期間運転して学習情報を改めて取得しなくても、交換前の学習情報に基づいて好適化された状態でガス器具を保安監視することが可能となる。
【００１７】
前記構成のガス遮断装置管理システムにおいては、前記携帯端末による前記ガス遮断装置の前記個体情報は、当該携帯端末への手入力、または、バーコード等による読み取りにより取得される構成であってもよい。
【００１８】
前記構成によれば、通信回線を介して携帯端末とガス遮断装置とを通信させなくても、ガス遮断装置の個体情報を容易に取得することができる。
【００１９】
また、前記構成のガス遮断装置管理システムにおいては、前記ガス遮断装置は、さらに、使用中の前記ガス器具の種類を判別するガス器具判別部を備え、前記ガス遮断制御部は、前記ガス器具判別部の判別結果である前記ガス器具の種類を、前記学習情報として前記ガス遮断記憶部に記憶し、前記旧ガス遮断装置を前記新ガス遮断装置に交換する際には、前記センターの前記センター制御部により、前記ガス器具の種類も前記新ガス遮断装置の前記ガス遮断記憶部に書き込まれる構成であってもよい。
【００２０】
前記構成によれば、学習情報にガス器具の種類を含めることで、交換後のガス遮断装置においても、ガス消費者（ガス需用家）が保有するガス器具を管理することができる。また、ガス器具監視部は、ガス器具の種類を把握した上でガス器具の使用状態を監視することになるので、使用状態の異常を判定する精度の向上を図ることができる。
【００２１】
以下、本発明の代表的な実施の形態を、図面を参照しながら説明する。なお、以下では全ての図を通じて同一又は相当する要素には同一の参照符号を付して、その重複する説明を省略する。
【００２２】
まず、本開示に係るガス遮断装置管理システムの構成の一例について、図１を参照して具体的に説明する。本実施の形態では、図１に示すように、ガス遮断装置管理システムは、センター１０、複数のガス遮断装置２０、および携帯端末３０を含み、図中点線で示す通信回線を介して、センター１０と複数のガス遮断装置２０とが通信可能に接続されている。また、携帯端末３０もセンター１０と通信可能に接続されている。
【００２３】
なお、図１では、複数のガス遮断装置２０のうち、交換対象である設置済の１台を旧ガス遮断装置２０Ａとしている。また、この旧ガス遮断装置２０Ａと交換されて新たに設置される１台を新ガス遮断装置２０Ｂとしている。旧ガス遮断装置２０Ａは通信回線に接続されているが、新ガス遮断装置２０Ｂは通信回線には接続されていない。
【００２４】
それぞれのガス遮断装置２０（ただし新ガス遮断装置２０Ｂは除く）には、少なくとも１台のガス器具が図中太線で示す配管を介して接続されている。図１に示す例では、旧ガス遮断装置２０Ａにおいてのみガス器具の接続を図示しており、他のガス遮断装置２０では図示を省略している。また、これから設置される新ガス遮断装置２０Ｂには、配管もガス器具も接続されていない。
【００２５】
図１に示す構成では、旧ガス遮断装置２０Ａに接続されるガス器具として、それぞれ１台の燃料電池４１、ガステーブル４２、およびファンヒータ４３を例示しているが、ガス器具の種類および接続台数についてはこれにこれらに限定されない。
【００２６】
旧ガス遮断装置２０Ａを含むそれぞれのガス遮断装置２０は、図示しないガス供給ラインを介して図示しないガス供給源に接続され得いる。ガス供給源は、原料ガス源（例えば、いわゆる都市ガスまたは液化石油ガス（ＬＰガス）等のインフラストラクチャ）に接続されており、需要に応じて炭化水素系ガス（例えば、メタンを主成分とする天然ガス、プロパンを主成分とするＬＰガス）をガス供給ラインからガス遮断装置２０および配管を介してガス器具に供給する。なお、ガス供給ラインには、種々の開閉弁、分岐機構等が設けられている。
【００２７】
次に、ガス遮断装置管理システムを構成するセンター１０およびガス遮断装置２０の構成の一例について、図２を参照して具体的に説明する。なお、図２に示すガス遮断装置２０は、図１においてブロックで示すガス遮断装置２０だけでなく、旧ガス遮断装置２０Ａおよび新ガス遮断装置２０Ｂにも共通する構成である。ガス遮断装置２０（旧ガス遮断装置２０Ａおよび新ガス遮断装置２０Ｂを含む）においては、図２に示す以外の構成についてはそれぞれのガス遮断装置２０の間で互いに相違してもよいし、図２に示す構成の一部を備えていなくてもよい。
【００２８】
センター１０は、本開示に係るガス遮断装置管理システムにおいて、通信回線（図中点線）を介して接続される複数のガス遮断装置２０を管理するものであり、センター制御部１１、センター通信部１２、センター記憶部１３等を備えている。センター制御部１１は、当該センター１０の動作を制御し、センター通信部１２は、センター制御部１１の制御により、通信回線を介してガス遮断装置２０および携帯端末３０と通信する。
【００２９】
センター記憶部１３は、センター１０の動作に用いられる各種情報を記憶するとともに、後述するように、ガス遮断装置２０に記憶されている各種情報および携帯端末３０から送信されてきた情報を記憶する。センター制御部１１は、後述するように、センター通信部１２を介してガス遮断装置２０と通信し、当該ガス遮断装置２０に記憶されている各種情報を読み出して、センター記憶部１３に記憶するとともに、記憶された各種情報を別のガス遮断装置２０に書き込む。
【００３０】
センター制御部１１、センター通信部１２、およびセンター記憶部１３の具体的な構成は特に限定されず、それぞれ、公知のマイクロコンピュータまたはマイクロコントローラのＣＰＵ等の演算装置、公知の有線または無線通信モジュール、内部メモリまたは外付け記憶装置等で構成されればよい。
【００３１】
ガス遮断装置２０は、ガス遮断制御部２１、ガス遮断通信部２２、ガス遮断記憶部２３、流量計測部２４、ガス遮断部２５、ガス器具監視部２６、ガス器具判別部２７等を備えている。
【００３２】
ガス遮断制御部２１は、ガス遮断装置２０の動作を制御し、ガス遮断通信部２２は、ガス遮断制御部２１の制御により、少なくともセンター１０との間で通信回線を介して通信する。ガス遮断記憶部２３は、ガス遮断装置２０の動作に用いられる各種情報を記憶する。この各種情報には、後述するように、当該ガス遮断装置２０に設定される設定情報と当該ガス遮断装置２０の運転に伴い生成される学習情報とが含まれる。
【００３３】
ガス遮断制御部２１、ガス遮断通信部２２、およびガス遮断記憶部２３の具体的な構成は特に限定されず、それぞれ、公知のマイクロコンピュータまたはマイクロコントローラのＣＰＵ等の演算装置、公知の有線または無線通信モジュール、内部メモリ等で構成されればよい。
【００３４】
流量計測部２４は、ガス流路内でのガス流量を計測するものであり、本実施の形態では、例えば、超音波を用いてガス等の流体の流量を計測する超音波流量計測器が用いられている。代表的な超音波流量計測方法としては、伝搬時間差法を利用したものを挙げることができる。なお、伝搬時間差法を利用した超音波流量計測器の具体的な構成は特に限定されず、公知の構成を好適に用いることができる。また、流量計測部２４としては、前記超音波流量計測器以外にも、熱フローセンサ、フルディック式等の電子式流量計測器を用いることができる。
【００３５】
ガス遮断部２５は、流量計測部２４で計測されるガス流量をガス器具監視部２６により監視した結果、何らかの異常状態またはそのおそれがあると判断したときに、ガス遮断制御部２１の制御により動作し、ガス流路におけるガスの流通を遮断する。ガス遮断部２５の具体的な構成は特に限定されないが、例えば、ソレノイド式電磁弁またはモータ駆動式弁を備える構成を挙げることができる。
【００３６】
ガス器具監視部２６は、流量計測部２４で計測したガス流量に基づいて配管に接続されるガス器具の使用状態を監視する。ガス器具監視部２６による使用状態の監視手法は、特に限定されないが、例えば、ガス器具に流入するガス流量を経時的に監視することで、ガス器具の使用状態が異常か否かを判定する構成を挙げることができる。具体的な異常としては、ガス流量に基づいて、ガス器具が長時間使用されていないか否か、ガス流量が一定時間異常な数値に達していないか否か、経時的なガス流量の変化のタイムチャート等を挙げることができる。
【００３７】
ガス器具判別部２７は、ガス遮断装置２０に接続されているガス器具のうち使用中のガス器具の種類を判別する。ガス器具判別部２７によるガス器具の判別手法は特に限定されないが、例えば、ガス器具の種類に対応するガス流量の判別値に基づいてガス器具の種類を判別する構成を挙げることができる。
【００３８】
携帯端末３０は、本開示においては、一般的に用いられる各種情報端末装置を公的に用いることができる。代表的には、スマートフォン等の携帯電話端末、その他通信可能な情報端末（タブレット等）、携帯型のパーソナルコンピュータ等を挙げることができる。携帯端末３０とセンター１０との通信は、一般的な通信モジュールを用いて実行されてもよいし、専用のアプリケーションソフトウェアを用いて実行されてもよいし、専用の通信回線を用いて専用の通信モジュールを用いて実行されてもよい。また、通信端末３０は必要に応じてガス遮断装置２０と通信可能に構成されてもよい。
【００３９】
本実施の形態では、ガス器具として燃料電池４１、ガステーブル４２、ファンヒータ４３を例示しているが、燃料電池４１は、発電のために常時稼働することが前提であり、調理器具であるガステーブル４２は、調理の時点のみ稼働するので使用時間が相対的に短く、暖房器具であるファンヒータ４３は、室内を暖房する間に稼働するので使用時間が相対的に長い、といった特徴を有しているので、これら特徴に応じたガス流量の判別値を予め設定しておくことで、ガス流量からガス器具の種類を判別することができる。
【００４０】
ガス器具監視部２６およびガス器具判別部２７は、例えば、ガス遮断制御部２１を構成するマイクロコンピュータまたはマイクロコントローラの機能構成（ガス遮断制御部２１として機能する演算装置がガス遮断記憶部２３（または他の記憶手段）に格納されるプログラムに従って動作することにより実現される構成）であればよいが、公知のスイッチング素子、減算器、比較器等による論理回路等として構成されてもよい。
【００４１】
なお、本開示では、ガス遮断装置２０はガス器具判別部２７を備えていなくてもよい。ただし、ガス器具判別部２７を備えることで、ガス器具監視部２６は、ガス器具の種類を把握した上でガス器具の使用状態を監視することになるので、例えば使用状態の異常を判定する精度の向上を図ることができる。
【００４２】
本開示に係るガス遮断装置管理システムでは、センター１０は、センター制御部１１、センター通信部１２、およびセンター記憶部１３以外の構成を備えてもよい。同様に、ガス遮断装置２０は、ガス遮断制御部２１、ガス遮断通信部２２、ガス遮断記憶部２３、流量計測部２４、ガス遮断部２５、ガス器具監視部２６以外の構成を備えてもよい。例えば、センター１０またはガス遮断装置２０は、それぞれ、公知の表示部、入力部、計時部、報知部等を備えてもよい。また、ガス遮断装置２０であれば、入力部の一例として、ガス遮断部２５が動作してガス流路が遮断された状態から遮断を解除するための復帰スイッチ等を備えてもよい。
【００４３】
次に、本開示に係るガス遮断装置管理システムにおいて、複数のガス遮断装置２０のうち任意の一つである旧ガス遮断装置２０Ａを新ガス遮断装置２０Ｂに交換する際の各種情報の移植について、図１および図２に加えて、図３を参照して具体的に説明する。
【００４４】
ガス遮断装置２０は法律で定められた検定満了期間が経過したり、ガス遮断装置２０自身の何らかのトラブルが発生したりした場合には、当該ガス遮断装置２０を交換する。このとき、旧ガス遮断装置２０Ａのガス遮断記憶部２３に記憶されている設定情報を新ガス遮断装置２０Ｂに移植する必要がある。この設定情報としては、例えば、旧ガス遮断装置２０Ａが設置されているガス消費者（ガス需用家）においてガス器具監視部２６によりガス器具の使用状態を監視するための各種設定条件（特許文献１の設定内容参照）が挙げられる。
【００４５】
ここで、ガス器具監視部２６の監視結果に基づいてガス遮断部２５を動作させてガス流路を遮断することに伴い、ガス遮断制御部２１は、監視結果の根拠となるガス器具の使用状態を学習情報としてガス遮断記憶部２３に記憶することができる。具体的な学習情報としては、例えば、ガス消費者（ガス需用家）におけるガス器具の使用状況に応じて好適化された保安状態（例えば、使用時間遮断値、合計・増加流量遮断値）等が挙げられる。あるいは、旧ガス遮断装置２０Ａがガス器具判別部２７を備えているのであれば、ガス器具判別部２７の判別結果であるガス器具の種類を学習情報としてもよい。
【００４６】
このような学習情報は、交換前の旧ガス遮断装置２０Ａから交換された新ガス遮断装置２０Ｂに移植する必要はない。新ガス遮断装置２０Ｂの運転が開始されてからガス器具監視部２６による監視が継続されることで、同様の学習情報を取得できるためである。しかしながら、交換された新ガス遮断装置２０Ｂが、旧ガス遮断装置２０Ａと同様の学習情報を取得するためには、かなりの期間が必要になるため、交換直後から一定期間、新ガス遮断装置２０Ｂでは、十分な学習情報が得られない状況で、ガス器具監視部２６による監視がなされることになる。それゆえ、設定情報だけでなく学習情報も新ガス遮断装置２０Ｂに移植できることが望ましい。
【００４７】
ただし、従来のガス遮断装置では、設定情報の移植は可能であるものの学習情報を移植することができない。特に学習情報は、設定情報に比べて相対的にデータ量が大きくなり、データ構造も複雑な傾向があるので、従来のように、交換現場でこのような学習情報を移植しようとすると移植作業そのものが大幅に煩雑化するおそれがある。これに対して、本開示に係るガス遮断装置管理システムでは、各種情報の移植そのものはセンター１０が実施し、センター１０による移植をサポートするために携帯端末３０を利用する。これにより、ガス遮断装置２０の交換に際して、各種情報の移植に要する作業を簡素化することが可能になる。
【００４８】
具体的には、まず図３（Ａ）に示すように、旧ガス遮断装置２０Ａを新ガス遮断装置２０Ｂに交換する現場において、例えば、交換作業者が保有する携帯端末３０により、これらガス遮断装置２０Ａ，２０Ｂの個体情報を取得し、センター１０に送信する。図３（Ａ）および図１では、携帯端末３０による個体情報の取得を破線矢印で模式的に示している。また、図３（Ａ）では、携帯端末３０からセンター１０への個体情報の送信を、点線の通信回線に沿った黒のブロック矢印で示している。
【００４９】
携帯端末３０によるガス遮断装置２０Ａ，２０Ｂの個体情報の取得手法は特に限定されず、携帯端末３０とガス遮断装置２０Ａ，２０Ｂのガス遮断通信部２２との間で通信回線を介して通信することにより取得してもよいが、好ましくは、携帯端末３０への手入力、バーコードによる読み取り、または、ＱＲコード（登録商標）による読み取りを挙げることができる。これらのように、手入力またはコード入力を利用することで、通信回線を介して携帯端末３０とガス遮断装置２０Ａ，２０Ｂとを通信させなくても、これらガス遮断装置２０Ａ，２０Ｂの個体情報を容易に取得することができる。
【００５０】
例えば、ガス遮断装置２０Ａ，２０Ｂの外面に個体情報を表示（直接印刷またはラベル、プレートの貼付等も含む）しておけば、交換作業者はこれら個体情報を手入力で携帯端末３０に入力することができる。また、ガス遮断装置２０Ａ，２０Ｂの外面に、個体情報を示す一次元バーコードあるいはＱＲコード（登録商標）等の二次元バーコードを表示しておけば、交換作業者は、携帯端末３０のカメラによりこれらバーコードを撮影して認識することで、個体情報を容易に取得することができる。なお、説明の便宜上、旧ガス遮断装置２０Ａの個体情報を「旧装置個体情報」と称し、新ガス遮断装置２０Ｂの個体情報を「新装置個体情報」と称する。
【００５１】
携帯端末３０からセンター１０に送信された旧装置個体情報および新装置個体情報は、センター１０のセンター制御部１１によりセンター記憶部１３に記憶される。そして、図３（Ｂ）に示すように、センター１０のセンター制御部１１は、記憶された旧装置個体情報に基づいて、センター通信部１２により通信回線を介して旧ガス遮断装置２０Ａを呼び出す（発呼する）。なお、図３（Ｂ），（Ｄ）では、ガス遮断装置２０Ａ，２０Ｂの発呼を二重線矢印で示し、各種情報の読み出しまたは書き込みは黒のブロック矢印で示している。
【００５２】
センター１０と旧ガス遮断装置２０Ａとの間で通信可能になると、センター制御部１１は、センター通信部１２により旧ガス遮断装置２０Ａのガス遮断記憶部２３から記憶されている各種情報を読み出して、旧装置個体情報に関連付けた「旧装置各種情報」としてセンター記憶部１３に記憶する。この各種情報には、前記の通り、設定情報だけでなく学習情報も含まれる。センター１０による読み出しおよび記憶は通信回線を介して実施される。そのため、現場の交換作業者は各種情報の読み出し作業を行う必要がなく、交換作業の準備を進めることができる。
【００５３】
次に、図３（Ｃ）に示すように、交換作業者により旧ガス遮断装置２０Ａが取り外され、新ガス遮断装置２０Ｂが新たに設置される。そして、交換後には、図３（Ｄ）に示すように、センター１０のセンター制御部１１は、センター記憶部１３に記憶した新装置個体情報に基づいてセンター通信部１２により新ガス遮断装置２０Ｂと通信して当該新ガス遮断装置２０Ｂを呼び出す（発呼する）。センター１０と新ガス遮断装置２０Ｂとの間で通信可能になると、センター制御部１１は、センター記憶部１３に記憶された旧装置各種情報を新ガス遮断装置２０Ｂのガス遮断記憶部２３に書き込む。
【００５４】
センター１０による旧装置各種情報の書き込みは通信回線を介して実施される。そのため、現場の交換作業者は旧装置各種情報の書き込み作業を行う必要がなく、交換作業が完了すれば現場から適時離れることができる。新ガス遮断装置２０Ｂへの旧装置各種情報の書き込みが完了すれば、各種情報の移植作業が終了する。
【００５５】
なお、図３（Ｂ）に示す例では、センター１０は、受信した旧装置個体情報および新装置個体情報を記憶してから、旧ガス遮断装置２０Ａから旧装置各種情報を読み出して、旧装置個体情報に関連付けて旧装置各種情報を構成するが、本開示はこれに限定されない。例えば、センター１０のセンター制御部１１は、複数のガス遮断装置２０を管理している過程で、それぞれのガス遮断装置２０から各種情報を適時読み出しており、予め読み出した複数の各種情報の中から、携帯端末３０より受信した旧装置個体情報に基づいて、対応するガス遮断装置２０の各種情報を選択して当該旧装置個体情報に関連付けて旧装置各種情報を構成してもよい。
【００５６】
このように、本開示によれば、ガス遮断装置管理システムを構成する複数のガス遮断装置２０のうちいずれかを交換する際には、携帯端末３０により新旧のガス遮断装置２０Ａ，２０Ｂの個体情報を取得してセンター１０に予め送信することになる。それゆえ、ガス遮断装置２０Ａ，２０Ｂの交換現場では、それぞれの個体情報を取得して送信するだけでよく、各種情報の移植はセンター１０からの通信により実行することができる。その結果、ガス遮断装置２０Ａ，２０Ｂの交換に際して、各種情報の移植に要する作業を簡素化できる。
【００５７】
さらに、移植される各種情報は設定情報だけでなく、相対的にデータ量の大きい学習情報も含まれる。通常、データ量の大きい学習情報は設定情報に比較して移植に時間を要するが、前記の通り、交換現場では、携帯端末３０による個体情報の取得および送信だけで済み、移植作業そのものはセンター１０から通信で実施される。そのため、ガス遮断装置２０Ａ，２０Ｂを交換した後に、任意のタイミングで通信により容易に学習情報を含む各種情報を移植することができる。ガス消費者（ガス需用家）では、新ガス遮断装置２０Ｂは、一定期間運転して学習情報を改めて取得しなくても、交換前の学習情報に基づいて好適化された状態でガス器具を保安監視することが可能となる。
【００５８】
また学習情報にガス器具の種類を含めることで、交換後の新ガス遮断装置２０Ｂにおいても、ガス消費者（ガス需用家）が保有するガス器具を管理することができる。また、新ガス遮断装置２０Ｂのガス器具監視部２６は、交換前の旧ガス遮断装置２０Ａと同様に、設置済のガス器具の種類を把握した上でガス器具の使用状態を監視することになる。それゆえ、新ガス遮断装置２０Ｂにおいても旧ガス遮断装置２０Ａと同様に、使用状態の異常を判定する精度の向上を図ることができる。
【００５９】
なお、本発明は前記実施の形態の記載に限定されるものではなく、特許請求の範囲に示した範囲内で種々の変更が可能であり、異なる実施の形態や複数の変形例にそれぞれ開示された技術的手段を適宜組み合わせて得られる実施の形態についても本発明の技術的範囲に含まれる。
【産業上の利用可能性】
【００６０】
本発明は、センターおよび複数のガス遮断装置を含むシステムの分野において、特にガス遮断装置を交換する場合に好適に用いることができる。
【符号の説明】
【００６１】
１０：センター
１１：センター制御部
１２：センター通信部
１３：センター記憶部
２０：ガス遮断装置
２０Ａ：旧ガス遮断装置
２０Ｂ：新ガス遮断装置
２１：ガス遮断制御部
２２：ガス遮断通信部
２３：ガス遮断記憶部
２４：流量計測部
２５：ガス遮断部
２６：ガス器具監視部
２７：ガス器具判別部
３０：携帯端末
４１：燃料電池（ガス器具）
４２：ガステーブル（ガス器具）
４３：ファンヒータ（ガス器具）
【図１】
2020197313.tif 000003
【図２】
2020197313.tif 000004
【図３】
2020197313.tif 000005